(57)【要約】【課題】容器高さに対して深くネスティングできて、従来よりも嵩低く多数を重ねることができるとともに、ネスティングされた容器の分離作業が容易な運搬用容器を提供する。【解決手段】上方に開口し、四周の側壁１２，１２及び１３，１３が上端側ほど外側に拡がるように傾斜し、側壁上端にフランジ１４を有し、一方の相対向する両側壁に、上下方向に延びるスタッキング用の脚部１５ａ，１５ｂを形成し、脚部１５ａ，１５ｂの内空部をネスティング用の脚収納部１７ａ，１７ｂとし、脚部１５ａ，１５ｂを同形の他の容器Ａのフランジ１４上に載接するか又は脚収納部に挿入することにより、スタッキング及びネスティング可能に設けた容器Ａで，少なくとも一の側壁における内外面の一方の所要領を、ネスティング時の内外の容器Ａ，Ａの側壁同士の接触に対して密着を生じない凹凸による粗面２５とする。【選択図】          図７
2007099321.tif 000002
【特許請求の範囲】
【請求項１】
合成樹脂を材料とする射出成形により、上方に開口する箱形状に一体に成形され、四周の側壁が上端側ほど外側に拡がるように傾斜したテーパ状をなすとともに、該側壁上端にフランジが設けられてなる容器であって、一方の相対向する両側壁に、上下方向に延びるスタッキング用の脚部が形成されるとともに、該脚部の内空部が上方に開口するネスティング用の脚収納部として形成され、前記脚部を他の同形容器の前記フランジ上に載接させるか、または前記脚収納部に挿入することにより、スタッキング及びネスティング可能に設けられた運搬用容器において、
前記四周側壁の少なくとも一の側壁における内外面の一方の所要領域が、ネスティング時の内外の容器の側壁同士の接触に対して密着を生じない粗面に形成されてなることを特徴とする運搬用容器。
【請求項２】
前記一の側壁における粗面が、該側壁の幅方向の少なくとも一部の領域で上下方向の全長に渡って形成されてなる請求項１に記載の運搬用容器。
【請求項３】
前記側壁における粗面が、上下方向の凹条が並列して多数形成されてなる請求項１または２に記載の運搬用容器。
【請求項４】
前記側壁における粗面が、無数のシボ状の細かい凹凸よりなる請求項１または２に記載の運搬用容器。
【請求項５】
前記脚部が相対向する短側壁に設けられるとともに、相対向する他方の長側壁には幅方向の所要間隔毎に内外面の一方に凸をなして上下方向に延びる補強リブが設けられてなる請求項１〜４のいずれか１項に記載の運搬用容器。
【請求項６】
前記補強リブが、正面よりみて下端側方ほど広幅になるように両側面が傾斜するとともに、垂直線に対する前記両側面の傾斜角度が前記側壁の傾斜角度より大きくなっている請求項５に記載の運搬用容器。
【発明の詳細な説明】
【技術分野】
【０００１】
本発明は、合成樹脂材料により一体に射出成形されてなる容器、特にはスタッキング及びネスティング可能に形成されてなる運搬用容器に関するものである。
【背景技術】
【０００２】
合成樹脂を材料にして一体に射出成形された容器は、各種のボトル入り飲料や牛乳パック等のパック入り飲料、袋詰めや箱詰め食品その他の各種食品の運搬用容器として、また書籍その他の書類の運搬用容器として、また各種の小物商品や機械部品の輸送用コンテナや運搬用の通い箱等として広く使用されている（特許文献１）。
【０００３】
かかる運搬用容器は、その使用においては内容物を収納した状態で段積みされる所謂スタッキングがなされ、また、空の容器の輸送の際には該容器を入れ子に重ねる所謂ネスティングがなされる。
【０００４】
そのため、前記容器は、四周の側壁が上端側ほど外側に拡がるように傾斜したテーパ状をなすとともに、該側壁上端にフランジが設けられ、一方の相対向する両側壁に、外面側に凸をなして上下方向に延びかつ上方に開口するスタッキング用の脚部が形成されており、前記脚部を他の同形容器の前記フランジ上に載接させるか、または前記脚部内に挿入することにより、スタッキング及びネスティング可能に設けられている。
【０００５】
ところで、前記のような容器のネスティング状態において、内外の容器同士が平滑な成形面をなす側壁で密着する構造になっていると、前記容器を分離する際に真空状態が生じて、容器を容易に分離できないことになり、作業性を損なうことになる。そのため、従来より、容器同士の密着を防止する種々の工夫がなされており、例えば、特許文献１では、側壁の外面にネスティング時に下側の容器の上面に当接するストッパリブを設けることにより、一定以上の嵌合を規制して容器同士の密着を阻止するようにしている。このほか、側壁内面の所要高さ位置にネスティングの際に上側の容器を受ける段部を形成しておき、一定以上の嵌合を規制して容器同士の密着を阻止する場合もある。
【０００６】
しかしながら、前記のように、ストッパリブや段部等により上側の容器を受けて一定以上の嵌合を規制するのは、それだけ重ね合わされる寸法が小さくなり、例えば特許文献１の場合は容器高さの１/２程度であり、ネスティングにより嵩引く積み重ねるという効果が小さく、ひいては空容器の輸送及び保管効率も低く、充分に満足できないものである。
【特許文献１】特許第２９２９１７５号公報
【発明の開示】
【発明が解決しようとする課題】
【０００７】
本発明は、上記に鑑みてなしたものであり、空気密着させる虞なく容器高さに対して深くネスティングできて、従来よりも嵩低く多数を重ねることができるとともに、ネスティングされた容器の分離作業が容易な運搬用容器を提供するものである。
【課題を解決するための手段】
【０００８】
上記の課題を解決する本発明は、合成樹脂を材料とする射出成形により、上方に開口する箱形状に一体に成形され、四周の側壁が上端側ほど外側に拡がるように傾斜したテーパ状をなすとともに、該側壁上端にフランジが設けられてなる容器であって、一方の相対向する両側壁に、上下方向に延びるスタッキング用の脚部が形成されるとともに、該脚部の内空部が上方に開口するネスティング用の脚収納部として形成され、前記脚部を他の同形容器の前記フランジ上に載接させるか、または前記脚収納部に挿入することにより、スタッキング及びネスティング可能に設けられた運搬用容器において、前記四周側壁の少なくとも一の側壁における内外面の一方の所要領域が、ネスティング時の内外の容器の側壁同士の接触に対して密着を生じない粗面に形成されてなることを特徴とするものである。
【０００９】
これにより、スタッキング及びネスティングが可能であるばかりか、ネスティング状態においては、内外の容器側壁同士が接していても、少なくとも一の側壁における前記粗面の領域では側壁同士の接触面積が小さくなって密着することがなく、しかも前記粗面により通気可能な空気層を形成するため、容器高さに対し深く重ねられていても、前記空気層による空気流通により空気密着が抑制されることになり、重ね合わされた容器を容易に分離することができる。また、そのため、従来よりも容器高さに対して深くネスティングできて、多数の容器を嵩低く重ねることができる。
【００１０】
前記の運搬用容器において、前記一の側壁における粗面が、該側壁の幅方向の少なくとも一部の領域で上下方向の全長に渡って形成されてなるものが好ましく、これにより、容器を完全にネスティングした状態においても空気流通性を確保でき、そのため容器の脱着を容易に行える。
【００１１】
前記側壁における粗面としては、上下方向の凹条が並列して多数形成されてなるもの、あるいは無数のシボ状の細かい凹凸よりなるものとすることができ、これにより、前記ネスティングの際に前記粗面の領域において通気可能な空気層を形成できることになる。
【００１２】
また、本発明は、前記脚部が相対向する短側壁に設けられるとともに、相対向する他方の長側壁には幅方向の所要間隔毎に内外面の一方に凸をなして上下方向に延びる補強リブが設けられてなるものが好ましく、これにより、長側壁を補強できる。特に、前記補強リブが、正面よりみて下端側ほど広幅になるように両側面が傾斜するとともに、垂直線に対する前記両側面の傾斜角度が前記側壁の傾斜角度より大きくなっていると、容器のネスティングにより内外の容器の側壁同士が接した状態においても、前記補強リブの前記両側面同士の間に空隙を保有することになる。そのため、該空隙を通じて空気流通でき、ネスティングの際の重ね合わせ作業、及び分離作業を容易に行える。
【発明の効果】
【００１３】
本発明の運搬用容器よれば、ネスティング時に内外の容器の側壁同士が接触しても、該側壁の一部領域が粗面に形成されているために、平滑な成形面をなす側壁が密着するものとは違って空気密着させずにネスティングできることになり、ネスティングされた容器の分離作業を容易に行うことができる。
【００１４】
また、密着防止のためのストッパリブや段部を設け必要がなく、側壁の内外面同士を直接接触させてネスティングすることが可能になり、それだけ容器高さに対して深くネスティングすることができるので、多数の容器を嵩低く重ねることができ、ネスティングによる空容器の保管及び輸送効率を大幅に高めることができる。
【発明を実施するための最良の形態】
【００１５】
次に本発明の実施の形態を図面に示す実施例に基づいて説明する。
【００１６】
図１は本発明に係る運搬用容器の斜視図、図２は同容器の正面図、図３は同容器の平面図、図４は同容器の底面図、図５及び図６は同容器の断面図、図７は同容器のスタッキング状態の斜視図、図８は同一部の拡大断面図、図９は同容器のネスティング状態の斜視図、図１０は同一部の拡大断面図、図１１は粗面を凹条により形成した場合の拡大断面説明図である。
【００１７】
図示する実施例の運搬用容器Ａは、合成樹脂を材料とする射出成形により上方に開口する平面長方形の箱形状に一体に成形されてなり、この運搬用容器Ａは、底部１１と四周の側壁、すなわち一方の相対向する側壁、例えば短側壁１２，１２と、他方の相対向する側壁、例えば長側壁１３，１３が、それぞれ上端側ほど外側に拡がるように傾斜したテーパ状をなしており、この側壁の上端部（開口端部）にフランジ１４が設けられており、同形の容器Ａを同方向にしてネスティングできるように形成されている。
【００１８】
前記各側壁１２，１２及び１３，１３の底部１１に対し直角の面に対する傾斜角度θは、該側壁の肉厚等を考慮して、他の同形容器とのネスティング時に、内側の容器Ａの底部１１が外側の容器Ａの底部１１に近い位置まで嵌合できるように設定されている。
【００１９】
そして、前記一方の相対向する両短側壁１２，１２には、それぞれ外面側に凸をなして側壁１２と同傾斜で上下方向に延びるスタッキング用の脚部１５ａ，１５ｂが、後述するように１８０°方向転換することにより同形容器Ａの相対向する短側壁１２，１２のフランジ１４上に載設しスタッキングできるように形成されている。また、前記脚部１５ａ，１５ｂの側壁内側における内空部が、上方に開口するネスティング用の脚収納部１７ａ，１７ｂとして、ネスティング時に同方向の他の同形容器Ａの前記脚部１５ａ，１５ｂが挿入できるように形成されている。
【００２０】
図示する実施例の場合、前記両短側壁１２，１２の脚部１５ａ，１５ｂは、それぞれ一対ずつが形成されており、それぞれ同方向でのネスティングを可能にするために、前記各短側壁の正面よりみて下端側ほど幅が狭くなるようにそれぞれ両側面１６ａ，１６ｂが傾斜したテーパ状をなし、かつ上端において上方に開口している。この脚部１５ａ，１５ｂの各両側面１６ａ，１６ｂの前記正面よりみた垂直線（底部１１に対する垂直線）に対する傾斜角度は、前記長側壁１３，１３の傾斜角度θよりやや大きくなって、前記ネスティング時に密着しないようになっている。
【００２１】
さらに、一方の短側壁１２の一対の脚部１５ａ，１５ａと、他方の短側壁１２ｂの一対の脚部１５ｂ，１５ｂとは、該短側壁１２，１２をそれぞれ正面よりみて、脚部１５ａ，１５ａ間の間隔と他方の脚部１５ｂ，１５ｂ間の間隔とを異にして、例えば前者の間隔が大きく、後者の間隔が小さく形成され、１８０°方向転換した状態において他の同形容器Ａの側壁１２，１２上端のフランジ１４上に載設しスタッキングできるように設けられている。そのため、前記両短側壁１２，１２上端のフランジ１４の部分は、前記脚部１５ａ及び１５ｂが載設し得るように幅広に形成されている。図示する場合、前記フランジ１４の部分の前記脚部１５ａ及び１５ｂが載設する部分は、前記フランジ面よりやや落とし込んだ段部１８ａ，１８ｂとして形成されており、これによりスタッキング時の位置ずれを防止できるようになっている。
【００２２】
また、前記他方の長側壁１３，１３には、それぞれ幅方向の所要間隔毎に内面側に凸をなして該側壁と同傾斜で上下方向に延びる補強リブ２０が設けられており、これにより、長側壁１３を補強でき、撓み変形を防止できるようになっている。前記補強リブ２０は、図のように、該長側壁１３の正面よりみて下端側ほど広幅になるように両側面２１，２１が傾斜して、側壁外側で下方に開口することにより、ネスティング可能に形成されるとともに、脚部正面からみた前記両側面２１，２１の傾斜角度α、すなわち底部１１に対し直角の垂直線に対する前記両側面２１，２１の脚部正面からみた傾斜角度αが、前記長側壁１３の傾斜角度θより大きくなっており、該容器のネスティングの際に、内外の容器Ａ，Ａの側壁１３，１３同士が接した状態においても、前記補強リブ２０の前記両側面２１，２１同士の間に空隙を保有できるように設定されている。
【００２３】
図中の符号２２は、前記補強リブ２０の上端内側に形成した仕切部材挿入用の凹部であり、使用の際に必要に応じて仕切部材（図示せず）を挿入できるように形成されている。なお、前記短側壁１２，１２の部分、例えば脚部１５ａ，１５ａ間の間隔の大きい側の短側壁１２の部分にも、必要に応じて、前記脚部１５ａ以外の部分に前記同様の補強リブを形成することができる。
【００２４】
そして、本発明の運搬用容器Ａの場合、前記四周側壁１２，１２及び１３，１３のうちの少なくとも一の側壁、例えば図のように一つの短側壁１２、及びこれに隣接する一つの長側壁１３のそれぞれ内外面の一方、好ましく外面の全部または一部の領域が、ネスティング時の内外の容器Ａ，Ａの側壁同士の接触に対して密着を生じない下記のように凹凸を有する粗面２５として形成されている。前記粗面２５は、通常、完全なネスティング状態においても容器外部に通じる空気層を形成できるように、前記短側壁１２及び長側壁１３の幅方向の少なくとも一部の領域で上下方向の全長に渡って形成される。
【００２５】
図の例の場合、前記短側壁１２の側は、前記一対の脚部１５ａ，１５ａ間の部分の略１／２が粗面２５とされ、また長側壁１３の側は、一つの補強リブ２０を含む全幅の略１／３の領域が粗面２５とされている。前記の粗面２５を形成する領域については、短側壁１２，１２及び長側壁１３，１３のそれぞれ全面に渡って形成しておくのが望ましいが、これに限らず、後述する粗面２５の形状やネスティング時の密着防止効果を考慮して適宜設定できる。例えば、図のように少なくとも一つの側壁で一部の領域を粗面２５に形成しておくだけでも、ネスティング時の密着防止の充分な効果を発揮できる。実施上は、少なくとも一つの側壁において全幅の１／４以上の一つ又は複数の領域を粗面２５とするのが好ましい。
【００２６】
前記側壁における粗面２５としては、図示する実施例のように、上下方向の凹条２５ａが並列して多数形成されてなるものとするのが、容器の射出成形により同時に成形でき、実施上より好ましい。この凹条２５ａの幅や深さ等は、ネスティングにより内外の容器の側壁同士が接した場合の通気性や側壁の肉厚等を考慮して適宜設定できる。一例として、側壁の肉厚が２ｍｍの場合において、前記凹条２５ａの幅を２〜５ｍｍ、深さを０．１〜０．２ｍｍとする。
【００２７】
前記粗面２５としては、前記の凹条のほか、無数のシボ状や梨地状の細かい凹凸よりなるもの等、ネスティングにより内外の容器の側壁同士が接した場合の通気可能な空気層を形成できる種々の凹凸をなす形態による実施が可能である。
【００２８】
上記の構成よりなる運搬用容器Ａは、該容器Ａ内に内容物である物品を収納した状態において１８０°方向転換することにより、図７及び図８のように、短側壁１２，１２に有する脚部１５ａ，１５ｂを同形の他の容器Ａの短側壁１２のフランジ１４上、特には段部１８ａ，１８ｂに載設してずれなくスタッキングできる。また、図９及び図１０のように、空の容器Ａを同方向にして重ねることのより、短側壁１２，１２に有する脚部１５ａ，１５ｂを、外側（下側）の同形の容器Ａの短側壁１２，１２に有する脚部１５ａ，１５ｂの内側の脚収納部１７ａ，１７ｂに挿入することにより、ネスティングできる。このネスティング状態においては、長側壁１３に有する補強リブ２０も入れ子状に嵌まり合っている。
【００２９】
そして、ネスティング状態においては、内外の容器Ａ，Ａの短側壁１２，１２同士及び長側壁１３，１３同士が接するものであっても、少なくとも一の側壁、例えば図のように、一つの短側壁１２及び一つ長側壁１３には、その外面の少なくとも一部の領域に、例えば多数の凹条２５ａ等による凹凸を有する粗面２５が形成されているため、図１１のように、短側壁１２，１２同士あるいは長側壁１３，１３同士の接触面積が小さくなり、両側壁間に前記粗面による通気可能な空気層が形成される。例えば、多数の凹条２５ａの部分には他方の側壁と接触することなく空気層が形成されることになる。この粗面２５が、該側壁１２又は１３の上下方向の全長に渡って形成されていることで、容器高さに対して深くネスティングした状態においても、容器Ａの内部と外部とが前記粗面２５による空気層を通じて空気流通できることになる。そのため、空の容器Ａが容器高さに対して深く重ねられていても、前記空気層による空気流通により空気密着が抑制されることになる。したがって、重ね合わされた容器Ａ，Ａを容易に分離することができる。そのため、従来よりも容器高さに対して深くネスティングできて、多数の容器を嵩低く重ねることができる。また、ネスティングの際、内側の容器を外側の容器の内部に速く落とし込むことができることにもなる。
【００３０】
特に、前記補強リブ２０の両側面２１，２１の正面からみた傾斜角度αが、前記側壁の傾斜角度θより大きくなっていると、ネスティングされた内外の容器Ａ，Ａの側壁同士が接した状態においても、図１２のように前記補強リブ２０の前記両側面２１，２１同士の間に空隙を保有することになる。そのため、該空隙を通じて空気流通でき、ネスティングの際の重ね合わせ作業、及び分離作業を容易に行える。
【産業上の利用可能性】
【００３１】
本発明は、各種のボトル入り飲料や牛乳パック等のパック入り飲料、袋詰めや箱詰め食品その他の各種食品の運搬用容器として、また書籍その他の書類の運搬用容器として、また各種の小物商品や機械部品の輸送用コンテナや運搬用の通い箱等として広く好適に利用できる。
【図面の簡単な説明】
【００３２】
【図１】本発明に係る運搬用容器の１実施例の斜視図である。
【図２】同容器の正面図である。
【図３】同容器の平面図である。
【図４】同容器の底面図である。
【図５】図３のＶ−Ｖ線の断面図である。
【図６】図３のVI−VI線の断面図である。
【図７】同容器のスタッキング状態の斜視図である。
【図８】同上の一部の拡大断面図である。
【図９】同容器のネスティング状態の斜視図である。
【図１０】同上一部の拡大断面図である。
【図１１】図１０のXI−XI線の拡大断面説明図である。
【図１２】図１０のXII−XII線の拡大断面説明図である。
【符号の説明】
【００３３】
Ａ…運搬用容器、１１底部、１２…短側壁、１３…長側壁、１４…フランジ、１５ａ，１５ｂ…脚部、１６ａ，１６ｂ…両側面、１７ａ，１７ｂ…脚収納部、１８ａ，１８ｂ…段部、２０…補強リブ、２１…両側面、２５…粗面、２５ａ…凹条
【図１】
2007099321.tif 000003
【図２】
2007099321.tif 000004
【図３】
2007099321.tif 000005
【図４】
2007099321.tif 000006
【図５】
2007099321.tif 000007
【図６】
2007099321.tif 000008
【図７】
2007099321.tif 000009
【図８】
2007099321.tif 000010
【図９】
2007099321.tif 000011
【図１０】
2007099321.tif 000012
【図１１】
2007099321.tif 000013
【図１２】
2007099321.tif 000014